(57)【要約】  【課題】多数の写真画像データを閲覧回数を基準にして、必要なものと不要なものとに自動的に分類することのできる写真鑑賞用ソフトウエアを提供すること。  【解決手段】  本発明にかかる写真鑑賞用ソフトウエアは、写真画像処理装置の制御手段を制御して、写真画像処理装置の記憶手段に記憶された複数の写真画像データの縮小画像を写真画像処理装置の表示手段の画面に並べて表示する写真鑑賞用ソフトウエアにおいて、画面に拡大表示するための少なくとも１つの写真画像データを、画面に表示された縮小画像の中から選択指定する指定ステップと、各写真画像データごとに前記指定ステップで選択指定された回数を計数する計数ステップと、計数された選択指定回数の多少に応じて少なくとも２つのグループに仕分けする仕分けステップとを有している。【選択図】      図２
2007042228.tif 000002
【特許請求の範囲】
【請求項１】
コンピュータの制御手段を制御して、コンピュータの記憶手段に記憶された複数の画像データの縮小画像をコンピュータの表示手段の画面に並べて表示するサムネイル表示機能を備えた画像鑑賞用ソフトウエアにおいて、
画面に拡大表示するために、表示された複数の縮小画像の中から選択指定された回数を、画像データごとに計数する計数ステップと、
複数の画像データを、計数された選択指定回数に応じて少なくとも２つのグループに仕分けする仕分けステップと
を有する画像鑑賞用ソフトウエア。
【請求項２】
前記複数の画像データを記憶した記憶手段は、コンピュータで画像を読取可能な記憶媒体であって、
その記憶媒体の中に、前記選択指定回数を対応する画像データと関連付けして記憶させる記録ステップを有する請求項１に記載の画像鑑賞用ソフトウエア。
【請求項３】
前記コンピュータは携帯電話機に搭載されたものであって、
前記仕分けステップによって分けられた、選択指定回数の少ない方のグループの画像データを、前記記憶手段から自動的に消去する消去ステップ
を有する請求項１または２の何れか１項に記載の画像鑑賞用ソフトウエア。
【発明の詳細な説明】
【技術分野】
【０００１】
本発明は、携帯電話機や、画像処理装置を備えたパソコン等の記憶手段に記憶された複数の画像データの何れかを選択して表示する機能を有した画像鑑賞用ソフトウエアに関するものである。
【背景技術】
【０００２】
従来より、画像処理装置を備えたパソコン等においては、コンピュータで実現された制御手段を制御して、ハードディスク等の記憶手段に記憶された複数の画像データの縮小画像を、画像処理装置の表示手段の画面に並べて表示するサムネイル表示機能を備えた鑑賞用ソフトウエアが知られており、そのようなドフトウエアにおいては、画面に表示されたサムネイル画像の中から何れか１つの画像を選択指定すると、選択指定された画像データが、画面に所定の大きさに拡大表示されるような機能を有している。
また、携帯電話機においても、内蔵したコンピュータで実現した制御手段を制御して、半導体メモリ等の記憶手段に記憶された複数の画像データをサムネイル表示する機能と、選択指定した画像データを、携帯電話機の表示手段の画面に表示する鑑賞用ソフトウエアが採用されている。
【発明の開示】
【発明が解決しようとする課題】
【０００３】
しかし、デジタルカメラで撮影した写真の画像データや、各種媒体を介して取り込んだ写真などの画像データを、記憶手段に記憶させて蓄積するだけで、適宜整理して不要なものを削除したりしておかないと、画像データの枚数が多くなって、自分が本当に必要なものが分からなくなることがある。
しかし、多数の画像データを不要なものと必要なものとに分類する適切な方法がないので、整理することが困難であった。
特に、記憶容量が多くはない携帯電話機においては、不要なデータを随時消去することが好ましいにもかかわらず、同様な理由で整理することが困難であった。
【０００４】
そこで、本発明は、多数の画像データを閲覧回数を基準にして、必要なものと不要なものとに自動的に分類することのできる画像鑑賞用ソフトウエアを提供することを目的として発明されたものである。
【課題を解決するための手段】
【０００５】
本発明にかかる請求項１の画像鑑賞用ソフトウエアは、
コンピュータの制御手段を制御して、コンピュータの記憶手段に記憶された複数の画像データの縮小画像をコンピュータの表示手段の画面に並べて表示するサムネイル表示機能を備えた画像鑑賞用ソフトウエアにおいて、
画面に拡大表示するために、表示された複数の縮小画像の中から選択指定された回数を、画像データごとに計数する計数ステップと、
複数の画像データを、計数された選択指定回数に応じて少なくとも２つのグループに仕分けする仕分けステップと
を有している。
請求項２では、
前記複数の画像データを記憶した記憶手段は、コンピュータで画像を読取可能な記憶媒体であって、
その記憶媒体の中に、前記選択指定回数を対応する画像データと関連付けして記憶させる記録ステップを有している。
請求項３では、
前記コンピュータは携帯電話機に搭載されたものであって、
前記仕分けステップによって分けられた、選択指定回数の少ない方のグループの画像データを、前記記憶手段から自動的に消去する消去ステップ
を有している。
【発明の効果】
【０００６】
請求項１の鑑賞用ソフトウエアによれば、
画像データごとに選択指定された回数を計数して、選択指定回数の多少に応じて少なくとも２つのグループに仕分けするので、選択指定回数に基づいて自動的に整理することができる。
請求項２では、選択指定回数を画像データに関連付けして記録媒体に記録するので、前記記録媒体の中から選択指定回数の多い画像データだけを容易に選択してプリント（印刷など）することができる。
請求項３では、携帯電話機において、選択指定回数の少ない方のグループに仕分けられた各画像データを記憶手段から自動的に消去するので、記憶手段を圧迫する要因を簡単に排除することができる。
【発明を実施するための最良の形態】
【０００７】
以下に、本発明にかかる画像鑑賞用ソフトウエアを、その実施の形態を示した図面に基づいて詳細に説明する。
図１は、前記画像鑑賞用ソフトウエアを実行可能なシステムを、インターネット上に構築した例の構成図を示したものである。
図において、
１は複数の画像データをハードディスクに蓄積したサーバであり、インターネットＮを介してアクセスしてきたパソコン等のクライアント２からの要求に応じて、指定されたフォルダ内の画像データを前記クライアント２に伝送して表示手段２１の画面に表示する機能を有している。
前記クライアント２は、前記サーバ１から伝送される画像データを表示手段２１の画面に表示するとともに、表示するための画像データが含まれるフォルダを指定する機能と、複数の画像データの縮小画面をサムネイル画像として並べて表示するサムネイル表示機能と、サムネイル画像の何れか１つを選択指定して、その拡大画像データをサーバ１から伝送させて拡大画像を表示する選択指定機能とを備えている。
【０００８】
前記サーバ１の制御手段を制御するソフトウエアは、図２に示したように、
クライアント２によって選択指定された画像データをハードディスクのフォルダの中から選択指定して、拡大表示可能な形態で前記クライアント２に送出する指定ステップＳ１と、
画像データごとに、クライアント２によって選択指定された回数を計数する計数ステップＳ２と、
計数された選択指定回数の多少に応じて少なくとも２つのグループに仕分けして、それぞれのフォルダに仕分け保存する仕分けステップＳ３と、
選択指定回数の少ない方のグループに仕分けられた各画像データを、消去可能なデータとして識別マーク等を付して識別表示するステップＳ４と、
選択指定回数の多い方のグループに仕分けられた各画像データを、必要なデータとして識別マーク等を付して識別表示するステップＳ５と、
前記必要なデータとして識別表示された画像データを、それぞれの画像データの選択指定回数とともに、写真プリント注文用などの各種の記録媒体に記録する記録ステップＳ６と
を有している。
【０００９】
以上のステップＳ４で識別表示された画像データはためらわずに消去することができ、ステップＳ５で識別表示された画像データは重要なデータとしてバックアップをとったり、ステップＳ６で記録した記録媒体をラボ等に持ち込んで写真プリントとして保存することができる。
このように、多数の画像データであっても、選択指定して閲覧することを繰り返しているだけで、自動的に、必要なデータと不要なデータとに分類整理が可能である。
図１のシステムは、家庭用のパソコン上のシステムとして実現することもできるが、携帯電話機のコンピュータに組み込んでもよく、または、写真画像データを処理する写真処理装置に組み込むこともできる。
【００１０】
図１のシステムは、前記サーバ１には特定のクライアント２のみがアクセス可能な構成としたが、前記サーバ１の画像データが保存されたフォルダをインターネット上に公開して、破線で示したように複数のクライアント２からアクセス可能に構成してもよい。
この場合には、複数の閲覧者による閲覧のための選択指定回数が計数されるので、より客観的に画像データを取捨選択して整理することが可能となる。
【００１１】
また、クライアント２による選択指定回数の多い画像データを分析することによって、色合いの好み、顔の好み、情景の好み、キーワードの好み等を検出し、利用者の好みを分析して、利用者の好みに応じた表示順位に自動的に並べ替えるステップを含ませても良い。
【００１２】
次に、携帯電話機に採用した本発明の画像鑑賞用ソフトウエアの動作を、図３を参照して説明する。
前記画像鑑賞用ソフトウエアは、図３に示したように、
携帯電話機の記憶手段に記憶された複数の画像データをサムネイル表示して、その中の何れかの画像を拡大表示するために選択指定する指定ステップＳ３１と、
画像データごとに前記指定ステップＳ３１で選択指定された回数を計数する計数ステップＳ３２と、
計数された選択指定回数の多少に応じて少なくとも２つのグループに仕分けする仕分けステップＳ３３と、
選択指定回数の少ない方のグループに仕分けられた各画像データを前記記憶手段から消去する消去ステップＳ３４とを有している。
【００１３】
携帯電話機の場合は、記憶手段の容量が大きくはないので、記憶容量を圧迫する大きな容量の不要な画像データは速やかに随時消去することが好ましい。
従って、前記仕分けステップＳ３３と消去ステップＳ３４とによって、不要なデータは随時記憶手段から消去されるので、貴重な記憶容量を圧迫する要因を排除して、携帯電話機を快適に使用できる。
【産業上の利用可能性】
【００１４】
本発明の画像鑑賞用ソフトウエアは、種々の写真画像処理装置に採用して、画像データの整理に供することができる。
【図面の簡単な説明】
【００１５】
【図１】本発明にかかる画像鑑賞用ソフトウエアの実施の形態の構成を示した構成図である。
【図２】前記画像鑑賞用ソフトウエアの一例のフローチャートである。
【図３】前記画像鑑賞用ソフトウエアを携帯電話機に採用した一例のフローチャートである。
【符号の説明】
【００１６】
１  サーバ
２  クライアント
２１  表示手段
Ｎ  インターネット
【図１】
2007042228.tif 000003
【図２】
2007042228.tif 000004
【図３】
2007042228.tif 000005